(57)【要約】【課題】撮像画像の焦点状態の確認を使い勝手よく行うことができる表示制御装置、電子カメラ、表示制御方法を提供する。【解決手段】デジタルカメラで被写体を撮像する撮像段階において、モニタの画面に撮像画像の印刷サイズを設定可能とする選択画面を表示させる。そして、その選択画面を使用して設定された印刷サイズに応じて撮像画像の一部領域を拡大させた拡大画像をモニタの画面上に全画面表示させる。例えば、撮像画像の印刷サイズが相対的に小さい場合には印刷サイズが相対的に大きい場合の拡大倍率よりも小さい拡大倍率で撮像画像の一部を拡大させた拡大画像を生成する。そのため、拡大画像が不必要に大きく拡大表示されたり、拡大画像では焦点状態が良好と判断できても実際に印刷した場合には焦点状態が良好でない撮像画像が印刷されたりする不具合が抑制される。【選択図】図３
2010183337.tif 000002
【特許請求の範囲】
【請求項１】
撮像手段が撮像した撮像画像を表示可能な画面を有する表示手段と、
該表示手段の前記画面上に前記撮像画像の一部を該撮像画像の印刷サイズに応じた拡大倍率で拡大させた拡大画像を表示させる制御手段と
を備えたことを特徴とする表示制御装置。
【請求項２】
請求項１に記載の表示制御装置において、
前記制御手段は、前記撮像画像の印刷サイズが相対的に小さい場合には、前記撮像画像の印刷サイズが相対的に大きい場合の拡大倍率よりも小さい拡大倍率で前記撮像画像の一部を拡大させた拡大画像を前記画面上に表示させることを特徴とする表示制御装置。
【請求項３】
請求項１又は請求項２に記載の表示制御装置において、
前記制御手段は、前記撮像画像における合焦位置又は画像内中央位置の部分を拡大させた拡大画像を前記画面上に表示させることを特徴とする表示制御装置。
【請求項４】
請求項１〜請求項３のうち何れか一項に記載の表示制御装置において、
前記撮像画像毎の印刷サイズ情報を設定可能とする印刷サイズ情報設定手段を更に備えたことを特徴とする表示制御装置。
【請求項５】
請求項１〜請求項４のうち何れか一項に記載の表示制御装置を備えたことを特徴とする電子カメラ。
【請求項６】
撮像手段が撮像した撮像画像の一部を拡大した拡大画像を表示手段の画面上に表示する際に、前記撮像画像の一部を該撮像画像の印刷サイズに応じた拡大倍率で拡大させた拡大画像を表示させるようにしたことを特徴とする表示制御方法。
【発明の詳細な説明】
【技術分野】
【０００１】
本発明は、撮像画像の一部が拡大された拡大画像を画面上に表示させる表示制御装置、そのような表示制御装置を備える電子カメラ、及び表示制御方法に関するものである。
【背景技術】
【０００２】
一般に、デジタルスチルカメラなどの電子カメラでは、背面側に設けられた液晶の画面に撮像画像を表示可能になっている。そして、その撮像画像における焦点状態を確認する場合には、その撮像画像の一部（例えば、合焦位置を中心とする一定領域）を画像処理により拡大して生成した拡大画像を画面全体に拡大表示するようにしていた（例えば、特許文献１参照）。
【先行技術文献】
【特許文献】
【０００３】
【特許文献１】特開２００７−２０８７１７号公報
【発明の概要】
【発明が解決しようとする課題】
【０００４】
ところで、撮像画像の印刷サイズは様々であり、その印刷時には印刷サイズに対応した撮像画像毎の拡大倍率により撮像画像全体が拡大されて用紙上に印刷される。その一方、撮像画像の焦点状態を確認するための拡大画像は、撮像画像毎の印刷サイズに関係なく、その撮像画像の一部を予め定めた一律の拡大倍率で拡大していた。そのため、撮像画像の用紙への印刷時における拡大倍率と、撮像画像における焦点状態を確認する際の一部領域の拡大画像の拡大倍率とが大きく乖離することがあった。したがって、このように拡大倍率を一律に適用する表示制御に基づき生成された拡大画像により、撮像画像の焦点状態を確認することは、ユーザにとって使い勝手が良好であるとは言い難かった。
【０００５】
本発明は、このような事情に鑑みてなされたものであり、その目的は、撮像画像の焦点状態の確認を使い勝手よく行うことができる表示制御装置、電子カメラ、表示制御方法を提供することにある。
【課題を解決するための手段】
【０００６】
上記目的を達成するために、本発明の表示制御装置は、撮像手段が撮像した撮像画像を表示可能な画面を有する表示手段と、該表示手段の前記画面上に前記撮像画像の一部を該撮像画像の印刷サイズに応じた拡大倍率で拡大させた拡大画像を表示させる制御手段とを備えたことを特徴とする。
【０００７】
また、本発明の表示制御装置において、前記制御手段は、前記撮像画像の印刷サイズが相対的に小さい場合には、前記撮像画像の印刷サイズが相対的に大きい場合の拡大倍率よりも小さい拡大倍率で前記撮像画像の一部を拡大させた拡大画像を前記画面上に表示させることを特徴とする。
【０００８】
また、本発明の表示制御装置において、前記制御手段は、前記撮像画像における合焦位置又は画像内中央位置の部分を拡大させた拡大画像を前記画面上に表示させることを特徴とする。
【０００９】
また、本発明の表示制御装置において、前記撮像画像毎の印刷サイズ情報を設定可能とする印刷サイズ情報設定手段を更に備えたことを特徴とする。
一方、本発明の電子カメラは、上記構成の表示制御装置を備えたことを特徴とする。
【００１０】
さらに、本発明の表示制御方法は、撮像手段が撮像した撮像画像の一部を拡大した拡大画像を表示手段の画面上に表示する際に、前記撮像画像の一部を該撮像画像の印刷サイズに応じた拡大倍率で拡大させた拡大画像を表示させるようにしたことを特徴とする。
【発明の効果】
【００１１】
本発明によれば、撮像画像の焦点状態の確認を使い勝手よく行うことができる。
【図面の簡単な説明】
【００１２】
【図１】デジタルカメラの背面図。
【図２】デジタルカメラの内部構成を示すブロック図。
【図３】撮像段階制御処理ルーチンのフローチャート。
【図４】拡大処理計算ルーチンのフローチャート。
【図５】モニタの画面サイズと撮像画像の印刷サイズとの対比図。
【図６】印刷サイズの相違と拡大対象領域の大きさの相違を説明する対比図。
【図７】再生表示制御処理ルーチンのフローチャート。
【図８】トリミング制御処理ルーチンのフローチャート。
【発明を実施するための形態】
【００１３】
以下、本発明を電子カメラの一種であるデジタルスチルカメラ（以下、「カメラ」という。）に具体化した一実施形態を図１〜図８に基づいて説明する。
図１は本実施形態のカメラ１１の背面図であり、同図に示すようにカメラ１１は略直方体形状をなすカメラ本体１２を有している。カメラ本体１２の上面右端部寄り部分には、このカメラ１１で被写体を撮像する際に撮像者により押し下げ操作されるレリーズボタン１３が設けられている。また、カメラ本体１２の上面においてレリーズボタン１３の左側には、カメラ１１を電源オン状態とする際に撮像者により押し下げ操作される電源ボタン１４が設けられている。
【００１４】
また、カメラ本体１２の後面側には、表示手段としての液晶表示モニタ（以下、「モニタ」と略す。）１５における画素数が横６４０×縦４８０の矩形状の画面１５ａがカメラ本体１２の後面側における右端側寄り部分を除く略全域に亘るように設けられている。なお、図１に示す画面１５ａの表示内容は撮像画像の印刷サイズを選択して設定する場合の表示内容であり、Ｌ版からＨＰ版までの５種類のサイズ項目が選択識別子となるカーソル１６と共に表示されている。そして、このモニタ１５の画面１５ａよりも右側の領域にはカメラ１１のユーザにより操作される複数種類のボタンが設けられている。
【００１５】
まず、モニタ１５の画面１５ａよりも右側の領域において上方寄りの位置には、ズームボタン１７が設けられ、ズームボタン１７よりも下方となる位置には、モードボタン１８、切り替えボタン１９、セレクトボタン２０、決定ボタン２１、メニューボタン２２及び削除ボタン２３が設けられている。ズームボタン１７は、主として被写体を広角又は望遠で撮像するときに押圧操作されるボタンであり、広角で撮像する場合にはその左端側部位Ｗが押圧操作され、望遠で撮像する場合にはその右端側部位Ｔが押圧操作される。そして、本実施形態の場合、モニタ１５の画面１５ａ上に撮像画像が表示されている状態でズームボタン１７の右端側部位Ｔが押圧操作された場合には、撮像画像の一部（例えば、合焦位置（焦点位置ともいう）を中心とする一定領域）をデジタルズームの画像処理により拡大した拡大画像がモニタ１５の画面１５ａ全体に拡大表示されるようになっている。
【００１６】
また、モードボタン１８は、カメラ１１のモード（撮像モードや再生表示モード等）を選択するときに使用するモード選択画面をモニタ１５の画面１５ａ上に表示させる場合に押圧操作される。また、切り替えボタン１９は、主としてカメラ１１のモード状態を撮像モードと再生表示モードとの間で切り替える場合に押圧操作される。そして、本実施形態の場合、モニタ１５の画面１５ａ上に撮像画像の一部を拡大した拡大画像が拡大表示されている状態で、切り替えボタン１９が押圧操作された場合には、撮像画像の印刷サイズを選択するための選択画面がモニタ１５の画面１５ａ上に表示されるようになっている。
【００１７】
また、セレクトボタン２０は、モニタ１５の画面１５ａ上に複数の選択項目が表示されている場合に選択識別子であるカーソル１６を移動させて所望する項目を選択対象として指定するときに押圧操作される。また、決定ボタン２１は、モニタ１５の画面１５ａ上でカーソル１６により指定されている項目を選択すると意思決定するときに押圧操作される。また、メニューボタン２２は、カメラ１１の機能設定をする場合等に使用するメニュー画面をモニタ１５の画面１５ａ上に表示させるときに押圧操作される。また、削除ボタン２３は、モニタ１５の画面１５ａに表示されている撮像画像を削除するときに押圧操作される。
【００１８】
次に、カメラ１１の内部構成を図２のブロック図に基づき説明する。
図２に示すように、カメラ１１は、その鏡筒２４内にフォーカスレンズ、ズームレンズ及び絞り等からなるレンズ部２５（図２では図面の簡略化のため１つのレンズのみ図示）を有すると共に、そのレンズ部２５を通過した被写体光をレンズ部２５の像空間側において結像させて撮像する撮像手段としての撮像素子２６をカメラ本体１２内に有している。レンズ部２５の各レンズは、それぞれが光軸方向に移動可能とされており、フォーカスレンズは撮像素子２６上に焦点を合わせる（合焦する）場合に使用され、ズームレンズは焦点距離を変更する光学ズームで被写体を望遠撮像する場合に使用される。なお、絞りは撮像素子２６に入射する光量を調整するために使用される。
【００１９】
撮像素子２６は、ＣＭＯＳ（Complementary Metal Oxide Semiconductor）イメージセンサ、又はＣＣＤ（Charge Coupled Device）イメージセンサからなり、その撮像面に結像した被写体像に対応した信号電荷を蓄積し、その蓄積した信号電荷を画素信号と呼ばれるアナログ信号として出力する。撮像素子２６の出力側にはＡ／Ｄ変換回路２７と信号処理回路２８が直列に接続され、撮像素子２６から出力されたアナログ信号からなる画素信号は、Ａ／Ｄ変換回路２７においてデジタル信号に変換された後、信号処理回路２８に入力されて各種の画像処理（補正処理や圧縮処理等）が施されるようになっている。
【００２０】
また、カメラ１１のカメラ本体１２内には、不図示のＲＯＭに記憶された所定制御プログラムに基づきカメラ１１における各種動作を統括的に制御する制御手段としてのＭＰＵ（Micro Processing Unit）２９が設けられている。そして、このＭＰＵ２９に対して、既述した各種のボタン１３，１４，１７〜２３及びモニタ１５が接続され、モニタ１５上の表示内容は各ボタン１３，１４，１７〜２３の押圧操作内容に従ってＭＰＵ２９により制御されるようになっている。
【００２１】
また、図２に示すように、このＭＰＵ２９からは信号処理回路２８に対して画像処理のための各種の制御信号が入力可能とされている。すなわち、信号処理回路２８は、デジタル化された画素信号に対してＭＰＵ２９から入力された制御信号に基づき各種の画像処理（例えば、デジタルズームによる拡大画像を生成するための画像間引き処理等）を施して所定の画像信号を生成する。そして、そのように生成された画像信号はＭＰＵ２９が内蔵するバッファメモリ（図示略）に一時記憶され、さらに不図示のカードスロットを介してカメラ１１に着脱可能に装着されたＳＤカード等のカード型記憶媒体からなる画像メモリ３０に所定のフォーマット態様で記録されるようになっている。
【００２２】
次に、本実施形態のカメラ１１のＭＰＵ２９が撮像段階において実行する撮像段階制御処理ルーチンの概要を図３のフローチャートを参照しながら説明する。
さて、ＭＰＵ２９は、カメラ１１が電源ＯＮ状態である場合において、モードボタン１８が押圧操作されると、モニタ１５の画面１５ａ上にモード選択画面を表示させる。そして、セレクトボタン２０及び決定ボタン２１の押圧操作によりカメラ１１のモード状態が撮像モードに設定されると、図３の撮像段階制御処理ルーチンを開始する。
【００２３】
そして、その撮像段階制御処理ルーチンが開始すると、まず、ステップＳ１において、ＭＰＵ２９は、ＲＯＭから印刷サイズの選択画面を表示するための画像情報を読み出し、図１に示すように、モニタ１５の画面１５ａ上に印刷サイズの選択画面を表示させる。なお、モニタ１５の画面１５ａ上には選択識別子となるカーソル１６がセレクトボタン２０の押圧操作内容に従い移動自在に表示される。すなわち、カーソル１６を移動させる方向にセレクトボタン２０が押圧操作されると、ＭＰＵ２９は、そのセレクトボタン２０の押圧操作内容に従ってモニタ１５の画面１５ａ上でカーソル１６の表示位置が移動するようにモニタ１５の表示内容を制御する。
【００２４】
そして、次のステップＳ２において、ＭＰＵ２９は、決定ボタン２１が押圧操作されたときにカーソル１６が指し示しているサイズ項目の印刷サイズを撮像画像の印刷サイズを規定する印刷サイズ情報としてＭＰＵ２９が備えるＲＡＭ（図示略）に一時記憶させる。この点で、ＭＰＵ２９は、撮像画像毎の印刷サイズ情報を設定可能とする印刷サイズ情報設定手段として機能する。例えば、図１に示す状態において、決定ボタン２１が押圧操作された場合には、２Ｌ版が撮像画像の印刷サイズとしてＲＡＭに一時記憶されることになる。そして、ステップＳ２での印刷サイズの設定が終了すると、ＭＰＵ２９は、その処理を次のステップＳ３に移行する。
【００２５】
すると、次のステップＳ３において、ＭＰＵ２９は、撮像素子２６の結像面に結像した被写体像と対応した画像をレリーズボタン１３の全押し操作に伴って信号処理回路２８で画像処理させた後、撮像画像の画像情報としてＲＡＭに一時記憶させる。なお、その場合には撮像画像における被写体の合焦位置の位置情報も撮像画像のヘッダ部に記録される。そして、ステップＳ３での撮像処理の終了後、切り替えボタン１９が押圧操作されると、ＭＰＵ２９は、その処理を次のステップＳ４に移行する。
【００２６】
すると、次のステップＳ４において、ＭＰＵ２９は、ＲＡＭに一時記憶させた撮像画像の画像情報を読み出し、その画像情報と対応した撮像画像を再生して、モニタ１５の画面１５ａ上に全画面表示させる。そして、次のステップＳ５において、ＭＰＵ２９は、モニタ１５の画面１５ａ上に全画面表示されている撮像画像における焦点状態の確認をするために、その撮像画像の一部をモニタ１５の画面１５ａ上に拡大表示させるか否かを判定する。具体的には、ズームボタン１７の右端側部位Ｔが押圧操作されたか否かに基づき、ＭＰＵ２９は撮像画像の一部を拡大した拡大画像を生成するか否かを判定する。そして、ＭＰＵ２９はズームボタン１７の右端側部位Ｔが押圧操作された（ステップＳ５＝Ｙｅｓ）と判定した場合、その処理を次のステップＳ６に移行する。
【００２７】
そして、次のステップＳ６において、ＭＰＵ２９は、モニタ１５の画面１５ａ上に表示されている撮像画像の焦点状態を確認する際に表示する拡大画像を生成するために必要な拡大処理計算を実行する。具体的には、図４に示す拡大処理計算ルーチンのステップＳ６１〜ステップＳ６４の各処理をＭＰＵ２９は実行する。
【００２８】
まず、ステップＳ６１において、ＭＰＵ２９は、その時点でモニタ１５の画面１５ａ上に表示されている撮像画像について設定されている印刷サイズの情報を取得する。すなわち、ＲＡＭに一時記憶されている撮像画像のヘッダ部には、その撮像画像の印刷サイズが記録されているため、このヘッダ部の記録情報を読み出すことによりＭＰＵ２９はモニタ１５の画面１５ａ上に表示されている撮像画像の印刷サイズの情報を取得する。そして、このステップＳ６１の処理が終了すると、ＭＰＵ２９は、次に、ステップＳ６２の画像間引き処理を実行する。
【００２９】
なお、ステップＳ６２の画像間引き処理とは、撮像画像の一部を撮像画像の印刷サイズに応じた拡大倍率で拡大した拡大画像にしてモニタ１５の画面１５ａ上に全画面表示するために、その画素数を拡大画像の拡大倍率に応じて間引く画像処理のことをいう。また、本実施形態の場合、この画像間引き処理は、撮像画像における焦点合わせがされた位置である合焦位置を中心とする一定の矩形領域を拡大対象領域として実行される。そして、本実施形態では、図１に示すように、撮像画像はＬ版からＨＰ版まで５種類の印刷サイズに設定可能であるため、ＭＰＵ２９はＬ版からＨＰ版までの各種の印刷サイズ毎に個別対応した画素数の間引き処理を選択的に実行することになる。
【００３０】
また、ＭＰＵ２９は、ステップＳ６２の画像間引き処理を行う場合、ステップＳ６３のフォーカス評価値演算を平行処理する。ここで、フォーカス評価値演算とは、画素数が横６４０×縦４８０のＶＧＡ（Video Graphics Array）サイズの画面１５ａでの表示解像度を演算することをいう。そして、これらのステップＳ６２とステップＳ６３の平行処理が終了すると、ＭＰＵ２９は、その処理を次のステップＳ６４に移行する。
【００３１】
そして、次のステップＳ６４において、ＭＰＵ２９は、ステップＳ６２での画像間引き処理の計算結果（印刷サイズに応じた拡大画像における画素数の間引き量）と、ステップＳ６３でのフォーカス評価値演算の計算結果（フォーカス評価値）とをＲＡＭに記録した後、その処理を図３に示す撮像段階制御処理ルーチンのステップＳ７に移行する。
【００３２】
すると、次のステップＳ７において、ＭＰＵ２９は、その撮像画像における合焦位置Ｆを中心とする矩形の拡大対象領域を先のステップＳ６４でＲＡＭに記録した間引き量等を反映した拡大倍率による拡大画像の画像信号を信号処理回路２８において生成させる。すなわち、撮像画像の印刷サイズに応じた拡大倍率による拡大画像の画像信号を生成させ、かかる画像信号に対応した矩形の拡大画像をモニタ１５の画面１５ａ上に焦点状態の確認のために全画面表示させる。この点で、本実施形態では、かかる制御手段として機能するＭＰＵ２９と、表示手段として機能するモニタ１５とにより、撮像画像の一部を拡大した拡大画像を画面上に表示させる表示制御装置が構成されており、このようなＭＰＵ２９とモニタ１５とをカメラ本体１２内に有するカメラ１１は、上記の表示制御装置を備えているといえる。
【００３３】
そして、ステップＳ７での拡大表示処理が終了すると、ＭＰＵ２９は、その処理を次のステップＳ８に移行する。なお、先のステップＳ５において、ＭＰＵ２９が、ズームボタン１７の右端側部位Ｔの押圧操作がないことを根拠に、撮像画像の一部をモニタ１５の画面１５ａ上に拡大表示させない（ステップＳ５＝Ｎｏ）と判定した場合は、ステップＳ６とステップＳ７を経由することなく、その処理がステップＳ８に直接移行される。
【００３４】
そして、ステップＳ８において、ＭＰＵ２９は、決定ボタン２１が押圧操作されたか否かを判定する。そして、決定ボタン２１が押圧操作された（ステップＳ８＝Ｙｅｓ）との判定の場合、ＭＰＵ２９は、次のステップＳ９において、その時点でモニタ１５の画面１５ａ上に全画面表示されている拡大画像の元画像である撮像画像の画像情報及び印刷サイズ情報を印刷枚数などの印刷指定情報と共に画像メモリ３０に記憶させる。なお、この場合、印刷指定情報は、ＤＰＯＦ（Digital Print Order Format）形式で記録される。そして、ステップＳ９の処理が終了すると、ＭＰＵ２９は、撮像段階制御処理ルーチンを終了する。
【００３５】
一方、先のステップＳ８において、決定ボタン２１は押圧操作されない（ステップＳ８＝Ｎｏ）との判定の場合、ＭＰＵ２９は、その処理をステップＳ１０に移行し、撮像画像の印刷サイズを再設定するか否かを判定する。具体的には、切り替えボタン１９が押圧操作されたか否かに基づき、ＭＰＵ２９は、印刷サイズの再設定を行うか否かを判定する。そして、ステップＳ１０において、切り替えボタン１９は押圧操作されない（ステップＳ１０＝Ｎｏ）との判定の場合、ＭＰＵ２９は、撮像段階制御処理ルーチンを終了させる。その一方、ステップＳ１０において、切り替えボタン１９は押圧操作された（ステップＳ１０＝Ｙｅｓ）との判定の場合、ＭＰＵ２９は、その処理を次のステップＳ１１に移行する。
【００３６】
すると、次のステップＳ１１において、ＭＰＵ２９は、ステップＳ１の場合と同様に、印刷サイズの選択画面をモニタ１５の画面１５ａ上に表示させる。そして、次のステップＳ１２において、ＭＰＵ２９は、決定ボタン２１が押圧操作されたときにカーソル１６が指し示しているサイズ項目の印刷サイズを撮像画像の印刷サイズを規定する印刷サイズ情報としてＭＰＵ２９が備えるＲＡＭ（図示略）に再設定のために書き換え記憶させる。そして、ステップＳ１２での印刷サイズの再設定が終了すると、ＭＰＵ２９は、その処理をステップＳ６に移行し、再び、このステップＳ６以降の各処理を実行する。
【００３７】
そこで次に、以上のように構成された本実施形態のカメラ１１の作用について、特に、カメラ１１による被写体の撮像段階で撮像画像の焦点状態を確認する際の表示制御方法に着目して以下説明する。
【００３８】
さて、カメラ１１のモードが撮像モードに設定されると、モニタ１５の画面１５ａには図１に示すように印刷サイズの選択画面が表示される。そのため、ユーザは、セレクトボタン２０の操作により選択画面内でカーソル１６を移動させると共に、決定ボタン２１を押圧操作することにより、撮像画像の印刷サイズを設定することが可能となる。そして、撮像画像の印刷サイズを設定した後において、切り替えボタン１９が押圧操作されると、モニタ１５の画面１５ａには撮像直後の撮像画像が表示される。
【００３９】
そのため、このモニタ１５の画面１５ａに表示された撮像画像によりユーザは撮像画像の画像内容を確認することが可能とされる。そして、その撮像画像を印刷する場合には、撮像画像毎に設定された印刷サイズの用紙に対して、その印刷サイズに応じた拡大倍率で撮像画像全体が拡大されて印刷される。
【００４０】
ちなみに、本実施形態のモニタ１５は、その画面１５ａの画素数が横６４０×縦４８０の３型ＶＧＡであり、その画面１５ａのサイズを実際に撮像画像が印刷される各種の用紙のサイズと対比すると、図５に示すような大きさ関係になる。すなわち、図５にＶＧＡの符号で示す本実施形態のモニタ１５の画面１５ａは、その大きさが６０ｍｍ（ＸＶＧＡ）×４５ｍｍ（ＹＶＧＡ）＝２７００ｍｍ２であり、Ｌ版からＨＰ版までの各用紙（図５にはＬ版から６Ｐ版までの３種類の用紙を図示）の印刷面よりも面積は相対的に小さい。
【００４１】
これに対し、印刷サイズがＬ版の用紙は、その大きさが１２７ｍｍ（ＸＬ）×９０ｍｍ（ＹＬ）＝１１４３０ｍｍ２であり、モニタ１５の画面１５ａのＶＧＡサイズ（２７００ｍｍ２）の約４．２３倍の大きさとなる。そのため、印刷サイズがＬ版に設定されている場合、モニタ１５の画面１５ａ上に表示されている撮像画像は約４．２３倍の拡大倍率で撮像画像全体が拡大されてＬ版の用紙上に印刷される。
【００４２】
また、印刷サイズが２Ｌ版の用紙は、その大きさが１８０ｍｍ（Ｘ２Ｌ）×１２７ｍｍ（Ｙ２Ｌ）＝２２８６０ｍｍ２であり、モニタ１５の画面１５ａのＶＧＡサイズ（２７００ｍｍ２）の約８．４６倍の大きさとなる。そのため、印刷サイズが２Ｌ版に設定されている場合、モニタ１５の画面１５ａ上に表示されている撮像画像は約８．４６倍の拡大倍率で撮像画像全体が拡大されて２Ｌ版の用紙上に印刷される。
【００４３】
また、印刷サイズが６Ｐ版の用紙は、その大きさが２５４ｍｍ（Ｘ６Ｐ）×２０３ｍｍ（Ｙ６Ｐ）＝５１５６２ｍｍ２であり、モニタ１５の画面１５ａのＶＧＡサイズ（２７００ｍｍ２）の約１９．１０倍の大きさとなる。そのため、印刷サイズが６Ｐ版に設定されている場合、モニタ１５の画面１５ａ上に表示されている撮像画像は約１９．１０倍の拡大倍率で撮像画像全体が拡大されて６Ｐ版の用紙上に印刷される。
【００４４】
以上のように、同じ撮像画像であっても、用紙に対する印刷時の拡大倍率は印刷サイズの大きさに対応した異なる拡大倍率が適用され、印刷サイズが大きい場合ほど大きな拡大倍率で撮像画像全体が拡大される。そのため、その撮像画像の一部である合焦位置を中心とする一定の矩形領域についても、その撮像画像の印刷サイズに対応した拡大倍率で同様に拡大されることになり、印刷サイズが大きい場合ほど大きく拡大される。
【００４５】
その一方、モニタ１５の画面１５ａ上に全画面表示された撮像画像における焦点状態を確認したい場合には、ズームボタン１７の右端側部位Ｔが押圧操作される。すると、図６に示すように、撮像画像における合焦位置Ｆを中心とする一定の矩形領域からなる拡大対象領域ΔＬ，Δ６Ｐを撮像画像の印刷サイズに応じた拡大倍率で拡大してなる拡大画像がモニタ１５の画面１５ａ上に全画面表示される。
【００４６】
そして、この場合は、撮像画像の印刷サイズが異なっていても、その拡大画像が全画面表示されるモニタ１５の画面１５ａのＶＧＡサイズ（２７００ｍｍ２）は一律の大きさであるため、図６に示すように、撮像画像の印刷サイズが異なる場合には、元画像となる撮像画像における拡大対象領域ΔＬ，Δ６Ｐの占有面積も異なることになる。具体的には、撮像画像の印刷サイズがＬ版である場合の拡大対象領域ΔＬは、撮像画像の印刷サイズが６Ｐ版である場合の拡大対象領域Δ６Ｐよりも、元画像となる撮像画像における占有面積が大きなものとなる。
【００４７】
そのため、本実施形態では、撮像画像の印刷サイズが最小のＬ版である場合の拡大対象領域ΔＬをモニタ１５の画面１５ａ上に全画面表示する際には、撮像画像の印刷サイズがＬ版よりも大きな６Ｐ版である場合の拡大対象領域Δ６Ｐをモニタ１５の画面１５ａ上に全画面表示する場合の拡大倍率よりも小さな拡大倍率で拡大した拡大画像が生成される。すなわち、撮像画像の印刷サイズが相対的に小さい場合には、撮像画像の印刷サイズが相対的に大きい場合の拡大倍率よりも小さい拡大倍率で撮像画像の一部（合焦位置Ｆを中心とする一定の矩形領域からなる拡大対象領域）を拡大させた拡大画像がモニタ１５の画面１５ａ上に全画面表示される。
【００４８】
したがって、撮像画像の印刷サイズがＬ版などの小さなサイズに設定されたことにより印刷時における撮像画像の拡大倍率が小さい場合には、その撮像画像における焦点状態を確認するために撮像画像の一部の領域を拡大画像にして拡大表示させる場合の拡大倍率も小さなものとされる。そのため、その拡大画像は撮像画像の全体構図との比較がし難くなるほど不必要に大きく拡大されることがない。
【００４９】
その一方、撮像画像の印刷サイズが６Ｐ版などの大きなサイズに設定されたことにより印刷時における撮像画像の拡大倍率が大きい場合には、その撮像画像における焦点状態を確認するために撮像画像の一部の領域を拡大画像にして拡大表示させる場合の拡大倍率も大きなものとされる。そのため、その拡大画像において焦点状態が良好と判断できた場合は、焦点状態が良好な撮像画像を用紙上に大きく印刷することが可能となる。
【００５０】
そして、このようにモニタ１５の画面１５ａ上に拡大表示された拡大画像によって焦点状態を確認された撮像画像については、その焦点状態が良好でないと判別されると、削除ボタン２３が押圧操作されることにより、その画像情報がＲＡＭから削除される。したがって、本実施形態の場合、焦点状態が良好でない撮像画像が画像メモリ３０に蓄積されてしまうことが抑制される。
【００５１】
また、本実施形態のカメラ１１では、被写体を撮像する撮像段階とは別のときにモードボタン１８や切り替えボタン１９等の操作に基づきモード状態が再生表示モードにされた場合には、ＭＰＵ２９が図７に示す再生表示制御処理ルーチンを実行することになる。
【００５２】
すなわち、カメラ１１が再生表示モードになると、ＭＰＵ２９は、ステップＳ２１において、画像メモリ３０に記憶されている画像情報を読み出し、その読み出した画像情報と対応した撮像画像をモニタ１５の画面１５ａ上に表示させる。なお、読み出した撮像画像が複数ある場合は、画面表示の切り替えにより一枚ずつ表示したり、一定枚数の撮像画像がサムネイル表示されたりする。そして、サムネイル表示の場合は、セレクトボタン２０と決定ボタン２１の操作により全画面表示される一枚の撮像画像が選択決定される。
【００５３】
そして、ステップＳ２２において、ＭＰＵ２９は、図３の撮像段階制御処理ルーチンにおけるステップＳ５の場合と同様に、モニタ１５の画面１５ａ上に全画面表示された撮像画像における焦点状態の確認をするために、その撮像画像の一部をモニタ１５の画面１５ａ上に拡大表示させるか否かを判定する。具体的には、ズームボタン１７の右端側部位Ｔが押圧操作されたか否かに基づき、ＭＰＵ２９は撮像画像の一部を拡大した拡大画像を生成するか否かを判定する。そして、ＭＰＵ２９はズームボタン１７の右端側部位Ｔが押圧操作された（ステップＳ２２＝Ｙｅｓ）と判定した場合、その処理を以降のステップＳ２３及びステップＳ２４へと順次に移行し、撮像段階制御処理ルーチンにおけるステップＳ６の場合と同様の拡大処理計算及びステップＳ７の場合と同様の拡大表示の各処理を実行する。
【００５４】
そして、ＭＰＵ２９は、ステップＳ２４の拡大表示の処理を終了すると、その処理を次のステップＳ２５に移行する。なお、先のステップＳ２２において、ＭＰＵ２９が、ズームボタン１７の右端側部位Ｔの押圧操作がないことを根拠に、撮像画像の一部をモニタ１５の画面１５ａ上に拡大表示させない（ステップＳ２２＝Ｎｏ）と判定した場合は、ステップＳ２３とステップＳ２４を経由することなく、その処理がステップＳ２５に直接移行される。
【００５５】
そして、ステップＳ２５において、ＭＰＵ２９は、本再生表示制御処理ルーチンを終了するか否かを判定する。具体的には、再生表示モードにあるときに切り替えボタン１９が押されたか否かにより再生表示制御処理ルーチンを終了するか否かを判定する。そして、所定時間（例えば３秒程度）が経過した時点で切り替えボタン１９は押されない（ステップＳ＝Ｎｏ）と判定した場合、ＭＰＵ２９は、その処理を再びステップＳ２１に戻し、元画像となる撮像画像をモニタ１５の画面１５ａに全画面表示し、以降の各処理を繰り返し実行する。その一方、切り替えボタン１９は押された（ステップＳ＝Ｙｅｓ）と判定した場合、ＭＰＵ２９は、再生表示制御処理ルーチンを終了する。
【００５６】
したがって、本実施形態では、撮像モードの場合だけに限らず、再生表示モードにおいても、画像メモリ３０に蓄積されている撮像画像を読み出し、その撮像画像における合焦位置を中心とする矩形領域を拡大させた拡大画像をモニタ１５の画面１５ａ上に拡大表示することにより、撮像画像の焦点状態を確認することがユーザには可能とされる。
【００５７】
さらに、本実施形態のカメラ１１では、モニタ１５の画面１５ａに撮像画像の焦点状態確認用の拡大画像が拡大表示されている場合に、メニューボタン２２、セレクトボタン２０及び決定ボタン２１の操作に基づきトリミング項目が選択決定された場合には、ＭＰＵ２９が図８に示すトリミング制御処理ルーチンを実行することになる。
【００５８】
すなわち、カメラ１１がトリミング可能な編集状態になると、ＭＰＵ２９は、その時点で画面１５ａに拡大表示されている拡大画像の元画像となる撮像画像の印刷サイズの情報を画像メモリ３０から読み出す。そして、次のステップＳ３２において、ＭＰＵ２９は、読み出した撮像画像の印刷サイズがＬ版（すなわち、撮像画像の印刷サイズとして予定する最小の印刷サイズ）よりも大きいか否かを判定する。
【００５９】
そして、読み出した撮像画像の印刷サイズがＬ版よりも大きい（ステップＳ３２＝Ｙｅｓ）と判定した場合、ＭＰＵ２９は、その処理を次のステップＳ３３に移行する。そして、ステップＳ３３において、ＭＰＵ２９は、モニタ１５の画面１５ａにトリミング枠の選択画面を表示させる。この場合、選択画面には、読み出した撮像画像の印刷サイズよりは小さく且つ予定する最小の印刷サイズ以上の大きさの矩形のトリミング枠がカーソル表示等と共に選択可能な態様で表示される。例えば、読み出した撮像画像の印刷サイズが６Ｐ版である場合は、その６Ｐ版よりも小さく且つ最小の印刷サイズであるＬ版以上の大きさのトリミング枠として、２Ｌ版とＬ版の２種類のトリミング枠が選択対象として選択画面に表示される。
【００６０】
そして、このステップＳ３３の選択画面において、セレクトボタン２０及び決定ボタン２１の操作により何れか一つのトリミング枠が選択されると、ＭＰＵ２９は、その処理を次のステップＳ３４に移行し、モニタ１５の画面１５ａ上において選択されたトリミング枠の枠画像と拡大画像とを重畳表示させる。この場合、トリミング枠の枠画像はセレクトボタン２０の操作に基づき画面１５ａ内で所望するトリミング位置に移動可能とされる。なお、先のステップＳ３２において読み出した撮像画像の印刷サイズはＬ版よりも大きくない（ステップＳ３２＝Ｎｏ）と判定した場合、ＭＰＵ２９は、ステップＳ３３を経由することなく、その処理をステップＳ３４に直接移行する。
【００６１】
そして次に、ＭＰＵ２９は、ステップＳ３５において、トリミングする領域が決定されたか否かを判定する。具体的には、決定ボタン２１が押圧操作されたか否かに基づき決定されたか否かを判定する。そして、まだ決定されていない（ステップＳ３５＝Ｎｏ）との判定の場合は、決定されるまで本ステップＳ３５の処理を周期的に繰り返す。その一方、トリミングする領域が決定された（ステップＳ３５＝Ｙｅｓ）と判定した場合、ＭＰＵ２９は、その処理を以降のステップＳ３６及びステップＳ３７へと順次に移行し、撮像段階制御処理ルーチンにおけるステップＳ６の場合と同様の拡大処理計算及びステップＳ７の場合と同様の拡大表示の各処理を実行する。
【００６２】
そして、ＭＰＵ２９は、ステップＳ３７における拡大表示の処理を終了すると、その処理を次のステップＳ３８に移行し、決定ボタン２１が押圧操作されたか否かを判定する。そして、決定ボタン２１が押圧操作された（ステップＳ３８＝Ｙｅｓ）との判定の場合、ＭＰＵ２９は、次のステップＳ３９において、その時点でモニタ１５の画面１５ａ上にて拡大画像に重畳表示されているトリミング枠により区画されたトリミング領域の画像情報を印刷サイズ情報及び印刷枚数などの印刷指定情報と共にＤＰＯＦ形式で画像メモリ３０に記憶させる。そして、このステップＳ３９の処理が終了すると、ＭＰＵ２９は、トリミング制御処理ルーチンを終了する。
【００６３】
一方、先のステップＳ３８において、決定ボタン２１は押圧操作されない（ステップＳ３８＝Ｎｏ）との判定の場合、ＭＰＵ２９は、その処理をステップＳ４０に移行し、トリミング枠を再選択するか否かを判定する。本実施形態の場合は、その時点でズームボタン１７の右端側部位Ｔが押圧操作されたか否かに基づき、ＭＰＵ２９は、トリミング枠の再選択を行うか否かを判定する。そして、ステップＳ４０において、ズームボタン１７の右端側部位Ｔは押圧操作されない（ステップＳ４０＝Ｎｏ）との判定の場合、ＭＰＵ２９は、トリミング制御処理ルーチンを終了させる。その一方、ステップＳ４０において、ズームボタン１７の右端側部位Ｔは押圧操作された（ステップＳ４０＝Ｙｅｓ）との判定の場合、ＭＰＵ２９は、その処理を再びステップＳ３３に戻し、以降の各処理を繰り返し実行する。
【００６４】
したがって、本実施形態では、モニタ１５の画面１５ａに拡大表示された拡大画像から一定の領域をトリミングする場合にも、そのトリミング領域の焦点状態をトリミング領域の拡大画像により確認することが可能とされる。また、元画像となる撮像画像の印刷サイズが大きい場合には、それよりも小さなサイズの複数種類のトリミング枠を選択して所望の大きさのトリミングをすることも可能とされる。
【００６５】
以上説明した本実施形態によれば、以下に示す効果を得ることができる。
（１）撮像画像の焦点状態を確認する場合には、その撮像画像の一部を当該撮像画像に設定された印刷サイズに応じた拡大倍率で拡大した拡大画像をモニタ１５の画面１５ａ上に全画面表示させることにより、ユーザは焦点状態が良好であるか否かの確認作業を容易に行うことができる。そして、焦点状態が良好でない撮像画像が画像メモリ３０に不必要に蓄積されることを抑制できる。
【００６６】
（２）また、その際において、撮像画像の印刷サイズが例えばＬ版などの相対的に小さなサイズに設定されたことにより印刷時における撮像画像の拡大倍率が小さい場合には、その撮像画像における焦点状態を確認するために撮像画像の一部の領域を拡大画像にして拡大表示させる場合の拡大倍率も相対的に小さなものとされる。そのため、その拡大画像は不必要に大きく拡大されることがないので、ユーザは撮像画像の全体構図との比較をしながら拡大画像に基づき焦点状態の確認をすることができる。
【００６７】
（３）その一方、撮像画像の印刷サイズが例えば６Ｐ版などの相対的に大きなサイズに設定されたことにより印刷時における撮像画像の拡大倍率が大きい場合には、その撮像画像における焦点状態を確認するために撮像画像の一部の領域を拡大画像にして拡大表示させる場合の拡大倍率も相対的に大きなものとされる。そのため、その拡大画像において焦点状態が良好と判断できた場合は、確実に焦点状態が良好な撮像画像を用紙上に大きく印刷することができる。
【００６８】
（４）被写体を撮像する撮像段階において撮像画像の印刷サイズをモニタ１５の画面１５ａに表示された選択画面を使用して容易に設定することができるので、撮像直後に撮像画像の一部を焦点状態が使い勝手よく確認できる拡大画像に拡大表示することができる。
【００６９】
なお、上記実施形態は以下のような別の実施形態に変更してもよい。
・上記実施形態において、撮像画像の印刷サイズを設定する際に使用する選択画面は、撮像段階制御処理ルーチンのステップＳ６で拡大画像のための拡大処理計算が実行される前ならば、実施形態におけるステップＳ１の段階に限定されず、例えば、ステップＳ５とステップＳ６の間でモニタ１５の画面１５ａに表示されるようにしてもよい。
【００７０】
・上記実施形態において、撮像画像の一部を拡大画像に拡大する際の拡大対象領域は、合焦位置Ｆを中心とする矩形領域に限定されず、元画像となる撮像画像の画像内中央位置であってもよい。
【００７１】
・上記実施形態において、撮像画像の印刷サイズは、Ｌ版からＨＰ版の５種類の大きさに限定されず、５種類以外の複数の印刷サイズに設定可能であってもよい。
・上記実施形態において、カメラ１１のＭＰＵ２９を例えばＵＳＢ回線等により高精細テレビ等の大型の表示装置に画像情報及び制御情報を通信可能に接続し、カメラ１１から表示装置に送信した撮像画像の画像情報に基づき表示装置が有する大きな画面上において撮像画像及びその一部の拡大画像を表示させるようにしてもよい。この場合は、表示装置が表示手段となり、カメラ１１のＭＰＵ（制御手段）２９と共に、表示制御装置を構成することになる。
【００７２】
・上記実施形態において、カメラ１１に着脱自在とされたＳＤカード等からなる画像メモリ３０をカメラ１１から取り出すと共に、高精細テレビ等の表示装置に情報通信可能に接続された制御装置が有するカードスロットに装着し、その制御装置の制御により表示装置の画面上に撮像画像及びその一部の拡大画像を表示させるようにしてもよい。この場合は、表示装置が表示手段となり、カードスロットを有する制御装置（制御手段）と共に、表示制御装置を構成することになる。
【符号の説明】
【００７３】
１１…デジタルカメラ（電子カメラ）、１５…表示制御装置を構成する表示手段としてのモニタ、１５ａ…画面、２６…撮像手段としての撮像素子、２９…表示制御装置を構成する制御手段及び印刷サイズ情報設定手段としてのＭＰＵ、Ｆ…合焦位置。
【図１】
2010183337.tif 000003
【図２】
2010183337.tif 000004
【図３】
2010183337.tif 000005
【図４】
2010183337.tif 000006
【図５】
2010183337.tif 000007
【図６】
2010183337.tif 000008
【図７】
2010183337.tif 000009
【図８】
2010183337.tif 000010